(57)【要約】【課題】本体部の動作モードに応じて安定して動作可能な撮像装置を提供する。【解決手段】ＤＣ−ＤＣコンバータと、電源クロックを発生するクロック発生回路と、信号制御回路とを含む電源部と、複数の動作回路を含む本体部とで撮像装置を構成する。この場合、信号制御回路は、本体部の動作モードに基づいて、ＤＣ−ＤＣコンバータを駆動する電源クロックを変更する。【選択図】図１
2008219292.tif 000002
【特許請求の範囲】
【請求項１】
複数の動作モードで動作する撮像装置であって、
前記複数の動作モードからいずれかの動作モードを選択する動作モードの選択手段と、
入力される電圧とは異なる電圧を出力する電圧変換手段と、
前記動作モードの選択手段によって選択された動作モードに応じて、前記電圧変換手段のクロックの周波数および／または位相を変更する制御手段と、を備えることを特徴とする撮像装置。
【請求項２】
複数の動作モードにて動作する撮像装置であって、
前記複数の動作モードからいずれかの動作モードを選択する動作モードの選択手段と、
クロック発生回路をそれぞれ備えた複数の動作回路と、
前記動作モードの選択手段によって選択された動作モードに応じて、前記複数の動作回路からいずれかの動作回路を選択する回路選択手段と、
入力される電圧とは異なる電圧を出力する電圧変換手段と、
前記回路選択手段によって選択された動作回路のクロック発生回路から出力されるクロックにて前記電圧変換手段を動作させる制御手段と、を備えることを特徴とする撮像装置。
【請求項３】
前記複数の動作回路が撮像素子とその駆動回路及び画像信号を処理する制御回路からなる撮像回路を含み、
前記撮像装置は静止画撮影モードおよび動画撮影モードを備え、
選択される動作モードが静止画撮影モードまたは動画撮影モードである場合には、前記制御手段は、前記撮像回路のクロック発生回路から出力されるクロックにて前記電圧変換手段を動作させることを特徴とする請求項２に記載の撮像装置。
【請求項４】
前記複数の動作回路が再生時の画像の表示及び撮影時の電子ファインダとして利用する表示装置とその駆動回路からなる表示回路を含み、
前記撮像装置は再生モードを備え、
選択される動作モードが再生モードである場合には、前記制御手段は、前記表示回路のクロック発生回路から出力されるクロックにて前記電圧変換手段を動作させることを特徴とする請求項２または３に記載の撮像装置。
【請求項５】
前記複数の動作回路が通信回路を含み、
前記撮像装置は通信モードを備え、
選択される動作モードが通信モードである場合には、前記制御手段は、前記通信回路のクロック発生回路から出力されるクロックにて前記電圧変換手段を動作させることを特徴とする請求項２ないし４のいずれか１項に記載の撮像装置。
【請求項６】
前記電圧変換手段はクロック発生回路を備え、
前記撮像装置は省電力モードを備え、
選択される動作モードが前記省電力モードである場合には、前記制御手段は、前記電圧変換手段のクロック発生回路から出力されるクロックにて前記電圧変換手段を動作させることを特徴とする請求項２ないし５のいずれか１項に記載の撮像装置。
【請求項７】
前記制御手段は、前記動作モードの選択手段によって選択された動作モードに応じて、前記回路選択手段によって選択された動作回路のクロックに同期させて前記電圧変換手段を動作させるかどうかを制御することを特徴とする請求項２ないし６のいずれか１項に記載の撮像装置。
【請求項８】
前記撮像装置は省電力モードを備え、
選択される動作モードが前記省電力モードである場合には、前記制御手段は、前記回路選択手段によって選択された動作回路のクロックに同期させずに前記電圧変換手段を動作させることを特徴とする請求項７に記載の撮像装置。
【請求項９】
複数の動作モードからいずれかの動作モードを選択する動作モードの選択手段と、入力される電圧とは異なる電圧を出力する電圧変換手段とを備えた撮像装置の制御方法であって、
前記動作モードの選択手段によって選択された動作モードに応じて、前記電圧変換手段のクロックの周波数および／または位相を変更することを特徴とする撮像装置の制御方法。
【請求項１０】
複数の動作モードからいずれかの動作モードを選択する動作モードの選択手段と、クロック発生回路をそれぞれ備えた複数の動作回路と、入力される電圧とは異なる電圧を出力する電圧変換手段とを備えた撮像装置の制御方法であって、
前記動作モードの選択手段によって選択された動作モードに応じて、前記複数の動作回路からいずれかの動作回路を選択し、
選択された動作回路のクロック発生回路から出力されるクロックにて前記電圧変換手段を動作させることを特徴とする撮像装置の制御方法。
【発明の詳細な説明】
【技術分野】
【０００１】
本発明は、撮像装置及び撮像装置の制御方法に関する。
【背景技術】
【０００２】
従来より、撮像装置であるデジタルカメラの電源回路においては、使用する電池の端子間電圧が変動しても出力電圧を一定に保つように、ＤＣ−ＤＣコンバータで電池の端子間電圧を一定の電圧に昇圧あるいは降圧して出力するように構成されている。図８に、従来のデジタルカメラの電源回路の構成の一例を示す。
【０００３】
図８において、８０はデジタルカメラを示し、８１はデジタルカメラ８０の電源部、８２はデジタルカメラの本体部をそれぞれ示す。電源部８１は、電池８１１及び電池８１１の端子間電圧が供給されるＤＣ−ＤＣコンバータ８１２を含む。またＤＣ−ＤＣコンバータ８１２は、クロック発生回路８１３を有する。
【０００４】
一方、本体部８２は、動作回路としてＣＰＵ、ＲＯＭ、ＲＡＭ等を含むシステム回路８２１、ＣＣＤ等の撮像素子、駆動回路、タイミングジェネレータ、相関二重サンプリング回路及びＡ/Ｄ変換回路を含む撮像回路８２２を備える。また動作回路として、さらに液晶ドライバ及び液晶表示パネルを含む表示回路８２３及び撮影した画像を転送する通信回路８２４を備える。以上は代表的な動作回路であるが、他の動作回路も考えられる。
【０００５】
ＤＣ−ＤＣコンバータ８１２の電源クロックＣＬＫ１は、ＤＣ−ＤＣコンバータ８１２に接続されたクロック発生回路８１３で生成され、本体部８２の各動作回路８２１、８２２、８２３及び８２４で使用されるクロックとは非同期とされている。
【０００６】
以上のように構成されたデジタルカメラ８０において、電源オンのスイッチが押されると、電源部８１のＤＣ−ＤＣコンバータ８１２にイネーブル信号が入力される。すると、イネーブル信号を検知したＤＣ−ＤＣコンバータ８１２が、本体部８２の動作回路であるシステム回路８２１へ動作のための電源電圧を供給する。システム回路８２１がデジタルカメラ８０の起動を検知後、起動時のカメラ動作モードに応じて、動作回路である撮像回路８２２、表示回路８２３、通信回路８２４等を選択する回路選択手段を備え、選択された動作回路へ電源電圧が供給される。
【０００７】
各動作回路８２１〜８２４は、それぞれ任意の周波数のクロックで駆動されている。この場合、各動作回路８２１〜８２４がそれぞれに独立したクロック発生回路８２５〜８２８を有する場合、あるいは複数の動作回路で一つのクロック発生回路を共有する場合とがありうる。
【０００８】
次に、図９を参照して、ＤＣ−ＤＣコンバータ８１２の具体的な回路構成の一例を示す。図９において、クロック発生回路８１３で生成された電源クロックＣＬＫ１は、抵抗Ｒを介してトランジスタＴＲのベース電極に印加される。トランジスタＴＲのコレクタ電極は、トランスＴの端子Ｔ１に接続され、エミッタ電極は接地される。トランスＴの端子Ｔ２は、電池８１１に接続され、電池８１１の端子間電圧が供給される。
【０００９】
このように構成されたＤＣ−ＤＣコンバータ８１２において、電源クロックＣＬＫ１のハイ期間はトランジスタＴＲがオンとされて電流が流れることにより、トランスＴのコイルにエネルギーが蓄積される。一方、電源クロックＣＬＫ１のロー期間はトランジスタＴＲがオフとなり、トランスＴのコイルに蓄積されたエネルギーが発生磁界により、端子Ｔ３、Ｔ４間にコイルの巻線比に応じた電圧を誘起する。そして、誘起された電圧はダイオードＤにより整流され、コンデンサＣで平滑され出力電圧が得られる。図示はしないが、通常ＤＣ−ＤＣコンバータ８１２では出力電圧検知部で出力電圧を監視し、出力電圧の変動に応じて、トランジスタＴＲへ入力する電源クロックＣＬＫ１のデューティ比を変更することにより、出力電圧を一定値に保つことが行われる。
【００１０】
しかしながら、ＤＣ−ＤＣコンバータ８１２に接続された負荷、即ち本体部８２の各動作回路での電力消費量の変動等に基づく負荷変動があると、ＤＣ−ＤＣコンバータ８１２も負荷の変動に伴い、出力電圧が変動する場合がある。負荷変動によってＤＣ−ＤＣコンバータ８１２の出力電圧が変動する原因としては、第１に電源部８１の供給能力の不足、第２にＤＣ−ＤＣコンバータ８１２の能力不足、第３に本体部８２の負荷が大きすぎる場合等が挙げられる。
【００１１】
ＤＣ−ＤＣコンバータ８１２は常に出力電圧を監視し、負荷が増加すると供給電力を増加し、負荷が減少すると供給電力を減少させるように働く。しかし、急激な負荷の増加に対しては、電力を供給しきれずに出力電圧が低下してしまう、また急激な負荷の低下では、電力を供給し過ぎて出力電圧が上昇してしまう事となる。この急激な負荷変動に対応するために、電源クロックＣＬＫ１の周波数を変化させるとか、電源クロックＣＬＫ１のＯＮ／ＯＦＦのデューティ比を変化させる方法がある。
【００１２】
図１０に、ＤＣ−ＤＣコンバータ８１２の出力電圧と、ＤＣ−ＤＣコンバータ８１２に接続された負荷、即ち本体部８２の動作回路が動作を行う際の消費電流との関係を示す。図１０において、タイミングＴ３０１で本体部８２が動作を開始する。これにより、負荷が急激に増加すると、ＤＣ−ＤＣコンバータ８１２の出力電圧は、その急激な変動に追従できないために出力電圧が３０１で示すように大きく低下し、再び上昇する所謂リンギング現象が発生する。この変動時間は負荷が容量性なのか、又は誘導性なのかにより異なる。負荷の状態が安定しているときは、ＤＣ−ＤＣコンバータ８１２の出力電圧に変動はない。しかし、タイミングＴ３０２において負荷がゼロまで変動すると、ＤＣ−ＤＣコンバータ８１２の出力電圧はその急激な変動に追従できないために３０２で示すように大きく上昇し、再び低下する所謂リンギング現象が発生する。
【００１３】
ＤＣ−ＤＣコンバータ８１２の電源クロックＣＬＫ１の周波数を変更させる技術として、特許文献１には負荷の消費電流の変化に応じ、発振周波数を可変制御する電源回路が開示されている。これによれば、負荷の消費電流に応じて電源クロックの発振周波数を変化させることにより、エネルギー変換効率の高い電源回路を実現している。
【特許文献１】特開平１０−３２３０２７号公報
【特許文献２】特開２００５−９２８１２号公報
【発明の開示】
【発明が解決しようとする課題】
【００１４】
従来例で述べたように、負荷変動によってＤＣ−ＤＣコンバータ８１２の出力電圧が変動する。ＤＣ−ＤＣコンバータ８１２の電源クロックＣＬＫ１が本体部８２の各動作回路のクロックに対して非同期である場合、負荷の変動が生じてからＤＣ−ＤＣコンバータ８１２の出力にフィードバックが掛かるまでの時間が一定にならない。
【００１５】
図１１に、負荷の変動時の負荷クロック、負荷電流、ＤＣ−ＤＣコンバータ８１２の電源クロックＣＬＫ１及び出力電圧の変動の関係を示す。図１１において、タイミングＴ１０１で本体部８２の動作回路のクロックがハイになり負荷電流が増加する。続いて、Ｔ１０２のタイミングでＤＣ−ＤＣコンバータ８１２の電源クロックＣＬＫ１がハイになり、出力電圧を補正する。この時、ＤＣ−ＤＣコンバータ８１２の出力電圧にフィードバックがかかるまでの時間は、Ｔ１０２−Ｔ１０１となる。
【００１６】
次に、同じ負荷の動作がＴ１０３の点で行われると、負荷が変動してからＤＣ−ＤＣコンバータ８１２が最初にフィードバックが掛かるまでの時間が、Ｔ１０４−Ｔ１０３となる。ＤＣ−ＤＣコンバータ８１２の電源クロックＣＬＫ１が動作回路のクロックに対し非同期である場合、ＤＣ−ＤＣコンバータ８１２の出力が変動する時間は、動作回路のクロックと電源クロックＣＬＫ１のハイになるタイミングによって変動する事となる。
【００１７】
また、ＤＣ−ＤＣコンバータ８１２にＰＷＭコンパレータを用いる場合には、ＤＣ−ＤＣコンバータ８１２の電源クロックＣＬＫ１がハイになり、観測した出力電圧に基づきＯＮデューティを決定する。そのため、フィードバックが掛かるまでの時間が異なる場合、ＤＣ−ＤＣコンバータ８１２自身の出力変動幅も変化する問題を生じる。
【００１８】
一般に、ＤＣ−ＤＣコンバータの電源クロックの周波数を上げることで、応答速度を上げ出力変動を抑制する事が可能である。しかし電源クロックの周波数を高くするにはＤＣ−ＤＣコンバータの回路上の動作限界、ＥＭＩ等の高周波数信号が周辺回路へ与える影響を考慮せねばならず、制約を受ける。また、電源クロックの周波数を上げることで消費電力が増加するといった問題がある。
【００１９】
ここで、特許文献２に開示される様に、擬似負荷回路を設けて負荷変動を低減する技術がある。このように、擬似負荷回路を設けてＤＣ−ＤＣコンバータの出力変動を一定に保つ事で、負荷変動の抑制、負荷変動の回避を簡単な回路構成で実現する事が可能となる。
【００２０】
ＤＣ−ＤＣコンバータ８１２の電源クロックＣＬＫ１と本体部８２の動作回路のクロックＣＬＫ２〜ＣＬＫ５が同期していない場合、図１１に示すように、ＤＣ−ＤＣコンバータ８１２の出力電圧が一定に保たれない。したがって、ＤＣ−ＤＣコンバータ８１２の出力電圧、即ち電源部８１の出力電圧の変動を抑制、又は回避させることが困難となる。
【００２１】
また、本体部８２の特定の動作回路のクロックに対してＤＣ−ＤＣコンバータ８１２の電源クロックＣＬＫ１を同期させた構成においても、対象となる動作回路が、本体部８２の動作モードの変更と共に変わる。そのため、電源部８１の出力電圧の変動が一定に保たれない問題を生じる。ＤＣ−ＤＣコンバータ８１２を含む電源部８１は、複数の動作回路を備える本体部８２が接続され、デジタルカメラ８０での撮影動作時には、複数の動作回路が同時並行して動作する場合がある。
【００２２】
一例として、撮像回路８２２のクロックＣＬＫ３に対して、ＤＣ−ＤＣコンバータ８１２の電源クロックＣＬＫ１を同期させた構成の場合、撮影動作に伴うＤＣ−ＤＣコンバータ８１２の出力電圧変動時間及び変動量を一定に保つ事が可能となる。しかし、レンズ駆動、ストロボの充電動作、手振れ補正機構の駆動等によって生じる、より大きな負荷変動に対するＤＣ−ＤＣコンバータ８１２の出力電圧の変動は一定に保つことが出来ない。
【００２３】
さらに、ＤＣ−ＤＣコンバータ８１２の電源クロックＣＬＫ１の周波数と出力電流量によって変換効率と消費電力が決まるため、特定の動作回路を電源クロックＣＬＫ１の周波数に同期したクロックで駆動させた場合、非効率な駆動となってしまう。
【００２４】
そこで本発明の目的は、電源部の電源クロックを、動作モードと動作時のシーケンスに応じて本体部の動作回路のクロックに基き制御し、負荷変動に伴う電源部の出力電圧の変動を減少することである。
【課題を解決するための手段】
【００２５】
上記の目的を達成するため、本発明の実施形態に係る撮像装置は、
複数の動作モードにて動作可能な撮像装置であって、
前記複数の動作モードからいずれかの動作モードを選択する動作モードの選択手段と、
入力される電圧とは異なる電圧を出力する電圧変換手段と、
前記動作モードの選択手段によって選択された動作モードに応じて、前記電圧変換手段のクロックの周波数および／または位相を変更する制御手段と、を備えることを特徴とする。
【００２６】
上記の目的を達成するため、本発明の他の実施形態に係る撮像装置は、
複数の動作モードにて動作可能な撮像装置であって、
前記複数の動作モードからいずれかの動作モードを選択する動作モードの選択手段と、
クロック発生回路をそれぞれ備えた複数の回路部と、
前記動作モードの選択手段によって選択された動作モードに応じて、前記複数の回路部からいずれかの回路部を選択する回路部選択手段と、
入力される電圧とは異なる電圧を出力する電圧変換手段と、
前記回路部選択手段によって選択された回路部のクロック発生回路から出力されるクロックにて前記電圧変換手段を動作させる制御手段と、を備えることを特徴とする。
【００２７】
上記の目的を達成するため、本発明のさらに他の実施形態に係る撮像装置の電源制御方法は、
複数の動作モードからいずれかの動作モードを選択する動作モードの選択手段と、入力される電圧とは異なる電圧を出力する電圧変換手段とを備えた撮像装置の制御方法であって、
前記動作モードの選択手段によって選択された動作モードに応じて、前記電圧変換手段のクロックの周波数および／または位相を変更することを特徴とする。
【００２８】
上記の目的を達成するため、本発明のさらに他の実施形態に係る撮像装置の電源制御方法は、
複数の動作モードからいずれかの動作モードを選択する動作モードの選択手段と、クロック発生回路をそれぞれ備えた複数の回路部と、入力される電圧とは異なる電圧を出力する電圧変換手段とを備えた撮像装置の制御方法であって、
前記動作モードの選択手段によって選択された動作モードに応じて、前記複数の回路部からいずれかの回路部を選択し、
選択された回路部のクロック発生回路から出力されるクロックにて前記電圧変換手段を動作させることを特徴とする。
【発明の効果】
【００２９】
本発明によれば、電源部のＤＣ−ＤＣコンバータの電源クロックを、動作モードと動作時のシーケンスに応じて本体部の動作回路のクロックに基き制御し、負荷変動に伴う電源部の出力電圧の変動を減少することが可能となる。
【発明を実施するための最良の形態】
【００３０】
以下、図面を参照して本発明の実施形態に係る撮像装置を説明する。但し、この実施形態に記載する構成要素、組み合わせ、種類、形状、その相対配置などは、特定的な記載が無い限り、この発明の範囲をそれのみに限定する趣旨ではなく、単なる説明に過ぎない。
【００３１】
図１は、本発明の実施形態に係る撮像装置の一例であるデジタルカメラ１００の概略ブロック図である。同図において、デジタルカメラ１００は、電源部１１０と本体部１２０より構成される。電源部１１０において、１１１はデジタルカメラ１００に駆動電力を供給するための電池、１１２は電池１１１の端子間電圧を所定の動作電圧に変更し、安定化された出力電圧を出力する電圧変換手段であるＤＣ−ＤＣコンバータである。すなわち、電源部１１０からの出力電圧は、動作電圧として本体部１２０に含まれる複数の動作回路の各動作回路に供給される。
【００３２】
また１１３は信号制御回路、１１４はクロック切換回路、さらに１１５はクロック発生回路を示す。クロック切換回路１１４は、入力されるクロックを選択して出力する。信号制御回路１１３は、クロック切換回路１１４で選択したクロックを、任意の位相及びデューティ比に変更し、分周してクロック発生回路１１５に供給する。
【００３３】
一方、デジタルカメラ１００の本体部１２０は、先に説明するように複数の動作回路を備える。ここでは、デジタルカメラとして本体部１２０が機能するために組み込まれている機能のブロックを動作回路と呼ぶ。すなわち、図１に示した例においては、以下に説明する４つである複数の動作回路を備える。すなわち、１２１はＣＰＵ、ＲＯＭ、ＲＡＭ等を含むシステム回路である。さらに１２２は、ＣＣＤ等で構成される撮像素子、駆動回路、タイミングジェネレータ、相関二重サンプリング及びＡ/Ｄ変換を行うアナログ部等を含む撮像回路である。また１２３は、ＬＣＤの駆動回路及びＬＣＤからなる表示回路であり、１２４は、撮影した画像を転送する通信回路である。また、各動作回路は夫々クロック発生回路１２５〜１２８を備える。
【００３４】
図１に示す電池１１１の端子間電圧は、電圧変換手段であるＤＣ−ＤＣコンバータ１１２で昇圧または降圧され、さらに安定化される。そして電源部１１０の出力電圧として、電源供給線１３０を介して、システム回路１２１、撮像回路１２２、表示回路１２３及び通信回路１２４へ動作電源として供給される。電圧変換手段であるＤＣ−ＤＣコンバータ１１２が独立したクロック発生回路１１５を備えるように、各動作回路も夫々異なるクロック発生回路１２５〜１２８を備える。
【００３５】
各動作回路は、システム回路１２１の制御に基づいて動作することになる。クロック発生回路１１５の電源クロックＣＬＫ１及びクロック発生回路１２５〜１２８のクロックＣＬＫ２〜ＣＬＫ５は、システム信号線１３１のシステム制御信号とともに、クロック切換回路１１４へ供給されている。システム制御信号はシステム回路１２１より出力される。
【００３６】
図２は、クロック切換回路１１４の構成を示し、１１４１の第１スイッチ及び１１４２の第２スイッチから構成されている。第１スイッチ１１４１は、電源クロックＣＬＫ１及び第２スイッチ１１４２の出力を入力とし、システム制御信号に基づき、いずれかを選択して信号制御回路１１３に供給する。また第２スイッチ１１４２は、クロックＣＬＫ２〜ＣＬＫ５を入力とし、システム制御信号に基づき、いずれかを選択して第１スイッチ１１４１に供給する。
【００３７】
システム回路１２１が、電圧変換手段であるＤＣ−ＤＣコンバータ１１２の非同期駆動を選択した場合は、第１スイッチ１１４１を切り換えて、ＤＣ−ＤＣコンバータ１１２に接続されたクロック発生回路１１５よりの電源クロックＣＬＫ１を選択する。しかし、システム回路１２１で同期駆動が選択された際には、第１スイッチ１１４１を切り換え、第２スイッチ１１４２の出力が選択され、第２スイッチ１１４２で選択されたいずれかの動作回路のクロックが選択される。ここで、クロック切換回路１１４に入力されるクロックは、クロック発生回路１２５〜１２８で生成したクロックだけでなく、各動作回路を制御するための制御信号であってもよい。
【００３８】
次に、図３のフローチャート図及び各図を参照して本発明の実施形態に係る撮像装置の電源制御の動作を概略的に説明する。
【００３９】
まず、デジタルカメラ１００の起動時の動作について説明する。図１に示さない操作部のデジタルカメラ１００起動スイッチがオンすると、イネーブル信号が入りＤＣ−ＤＣコンバータ１１２が起動する。デジタルカメラ１００起動スイッチが押された直後はＤＣ−ＤＣコンバータ１１２のみ起動している。そのため、図２の第１スイッチ１１４１の初期設定はＤＣ−ＤＣコンバータ１１２のクロック発生回路１１５の電源クロックＣＬＫ１を選択しており、非同期駆動を行う。この場合、ＤＣ−ＤＣコンバータ１１２の駆動周波数として、変換効率を高くするために電池からの入力電圧と出力側の消費電流量を考慮して設計した周波数が予め設定されており、この周波数で駆動される。
【００４０】
処理の開始後、ステップＳ３１で、動作モードが選択される。次に、ステップＳ３２で、動作モードが撮影モードか否かが判定される。撮影モードであればステップＳ３３に進み、撮影モードの種類の選択をする。次に、ステップＳ３３での選択が静止画撮影であった場合にはステップＳ３５に進み、静止画撮影に適した撮像クロックが選択される。しかし、静止画撮影でない場合には、ステップＳ３７に進み、動画撮影に適した撮像クロックが選択される。
【００４１】
一方、ステップＳ３２で、撮影モードでなかった場合はステップＳ３９に進む。ステップＳ３９では、再生時の動作である再生モードか否かが判定され、再生モードであればステップＳ４０で再生モードの種類を選択後ステップＳ４１に進み、表示クロックを選択する。また、ステップＳ３９で再生モードでなければステップＳ４３に進み、通信モードの種類が選択され、これに従い、ステップＳ４４で適切な通信クロックが選択される。
【００４２】
かくして、ステップＳ３６では静止画の撮影、ステップＳ３８では動画の撮影、ステップＳ４２では画像の再生およびステップＳ４５ではデータの転送が実行されることになる。
【００４３】
すなわち、デジタルカメラ１００のモードに応じて、システム回路１２１は、図示しないが回路選択部を含み、複数の動作回路から必要とする動作回路を選択する。回路選択部での選択に応じて制御信号を発生し、システム信号線１３１を介してクロック切換回路１１４に供給する。デジタルカメラ１００は、モードに応じて、システム回路１２１の回路選択部で必要な動作回路のみを選択することで、無駄な電力の削減も可能となる。
【００４４】
上記のようなクロック信号の選択は、図２のクロック切換回路１１４でシステム制御信号に従って実行される。複数の動作回路のそれぞれの起動後は、図３のフローチャートに示す様に各動作モードに対応するクロックが選択可能となる。したがって、選択した動作モードに応じた各動作回路のクロックをシステム回路１２１から発生されるシステム制御信号で選択することになる。
【００４５】
システム回路１２１のＣＰＵには、動作モードごとの各カメラ動作に対して、どの動作回路のクロックを選択するかを示すテーブルを予め用意しておく。図４はこのテーブルの一例を示す。各動作モードに対応したクロックの関係は、ＤＣ−ＤＣコンバータ１１２の出力変動に最も影響を受ける動作回路であること、及びＤＣ−ＤＣコンバータ１１２の出力を変動させる大きな負荷変動を伴う動作回路である事を考慮し、選択する優先順位が決定される。特定の動作モードにおいて任意の動作が選択された場合、システム回路１２１は現在の動作モードと動作シーケンスとを判断し、テーブルから適切な動作回路のクロックを選択し、電源部１１０へシステム制御信号を出力する。
【００４６】
例えば図４に示す様に、撮影モードを選択した際には、撮影する画像に影響する電源電圧の変動の抑制を第一に優先させるため、撮像回路１２２のクロックＣＬＫ３にＤＣ−ＤＣコンバータ１１２の電源クロックＣＬＫ１を同期させる。あるいは、待機モードでは各動作回路が動作を行わず、負荷がほとんどないため、ＤＣ−ＤＣコンバータ１１２の電源クロックＣＬＫ１を非同期駆動とし、さらにクロックの周波数を下げることで消費電力を減少させる。
【００４７】
クロック切換回路１１４では、常時、各動作回路のクロックが入力されており、システム回路１２１からのシステム制御信号に応じて、図２に示される第１スイッチ１１４１、第２スイッチ１１４２を切り換え、選択したクロックを信号制御回路１１３へ送る。システム回路１２１がＤＣ−ＤＣコンバータ１１２の非同期駆動を選択した場合は、第１スイッチ１１４１を切り換えてＤＣ−ＤＣコンバータ１１２の持つクロック発生回路１１５の電源クロックＣＬＫ１を選択する。また、同期駆動が選択された際には、第１スイッチ１１４１を切り換えることで第２スイッチ１１４２の出力が選択され、第２スイッチ１１４２によりいずれかの動作回路のクロックが選択される。ここで、クロック切換回路１１４に入力されるクロックは、クロック発生回路１１５、１２５〜１２８で生成したクロックだけでなく、各駆動回路を制御するための制御信号であってもよい。
【００４８】
ＤＣ−ＤＣコンバータ１１２の電源クロックＣＬＫ１と、動作回路のクロックが同期すると動作回路のクロックがハイになり、負荷の変動が開始してから次にＤＣ−ＤＣコンバータ１１２の電源クロックＣＬＫ１がハイになるまでの時間が常に一定に保たれる。
【００４９】
先に図１１で説明したように、Ｔ１０１の時点で動作回路が動作すると負荷が急激に増える。Ｔ１０２の点で、ＤＣ−ＤＣコンバータ１１２の電源クロックＣＬＫ１が切り替わり、出力電圧のフィードバックが掛かる。Ｔ１０３の点で２度目の負荷変動が起きた時、Ｔ１０４でＤＣ−ＤＣコンバータ１１２に出力電圧のフィードバックが掛かる。ＤＣ−ＤＣコンバータ１１２の電源クロックＣＬＫ１が動作回路のクロックに対して同期していない場合、１度目の負荷変動からＤＣ−ＤＣコンバータ１１２の出力変動が補正されるまでの時間のＴ１０２−Ｔ１０１は、２度目のＴ１０４−Ｔ１０３と一致しない。
【００５０】
一方、ＤＣ−ＤＣコンバータ１１２の電源クロックＣＬＫ１が動作回路のクロックに対して同期している場合は、図５に示すようにＴ２０２−Ｔ２０１とＴ２０４−Ｔ２０３の時間が一定となる。このため、周期的に同じ負荷変動が繰り返される場合、ＤＣ−ＤＣコンバータ１１２の出力電圧の変動が常に一定時間で一定変動となる。
【００５１】
このように、本発明の実施形態に係る撮像装置においては、デジタルカメラ１００の各動作モードに応じてＤＣ−ＤＣコンバータ１１２の電源クロックＣＬＫ１を、本体部１２０の動作回路のクロックに同期させる様に構成している。これにより、ＤＣ−ＤＣコンバータ１１２出力の変動時間と変動量を常に一定に保つことができる。また、変動量と時間を制御することで、ＤＣ−ＤＣコンバータ１１２の出力変動に起因したノイズを回避し抑制することが容易となり、画質の良い撮影結果を得ることが出来る。
【００５２】
以下、本発明の実施形態に係る撮像装置の各動作モードでの動作を、さらに詳しく説明する。まず、静止画像及び動画像を撮影する撮影モードが選択された場合におけるクロック切換回路１１４でのクロックの選択について説明する。動作モードの切り換えが行われるとシステム回路１２１が選択中の動作モードを検知する。システム回路１２１は、撮影モードを選択していることを確認し、検知した撮影モードに対応した駆動周波数をＣＰＵ内に保存した図４で示すようなテーブルから選択する。そして、クロック切換回路１１４へクロックの選択のためのシステム制御信号を送り、これによりクロック切換回路１１４が第２スイッチ１１４２を撮像回路１２２からのクロックＣＬＫ３へ切り換える。
【００５３】
クロック切換回路１１４は、このように、入力されるクロックを選択して出力する。信号制御回路１１３は、クロック切換回路１１４で選択したクロックを、任意の位相及びデューティ比に変更し、分周してクロック発生回路１１５に供給する。
【００５４】
次に、本発明の理解を容易とするため、デジタルカメラ１００で実行される撮影時の処理について簡単に説明する。撮像回路１２２を駆動する信号はタイミングジェネレータにより生成される。タイミングジェネレータは、撮像回路１２２のクロックＣＬＫ３とＣＰＵからの垂直同期信号ＶＤ、水平同期信号ＨＤ信号を受けて撮像素子の水平転送部を駆動する水平転送駆動パルスを撮像素子に出力する。撮像素子はレンズを通し撮像素子上に結像した被写体画像を光電変換する。光電変換された撮像素子の出力信号は、相関二重サンプリングによりリセットノイズ及び低域雑音の抑圧処理を行い、その後ＡＤ変換回路でデジタル信号に変換される。
【００５５】
デジタル信号となった画像信号はＣＰＵによりＲＡＭ上の任意の領域へ記録される。以上で画像信号の読み出しが終了する。画像信号の読み出し終了後、ＣＰＵは画像信号に現像処理を行い、任意の画像信号のフォーマットに従って再度ＲＡＭ上の別の記録領域に記録する。この画像信号は次にＣＰＵにより任意の順序で符号化部へ送られ、圧縮符号化処理を受けた後、ＲＡＭ上の任意の記録領域に記録される。ＣＰＵはこの符号化データに対して決められたヘッダー及びフッターデータを付け、あらかじめ決められた画像フォーマットに従った形式でＲＡＭ上に記録する。以上で露光及び撮影動作が終了する。
【００５６】
先に説明したように、図１０で示した撮像素子における水平転送時の負荷変動とＤＣ−ＤＣコンバータ１１２の出力電圧の変動波形を参照する。図１０において、Ｔ３０１-Ｔ３０２の期間は、画像信号の水平ブランキング期間、Ｔ３０３-Ｔ３０４は画像信号のデータ読み出し期間である。水平ブランキング期間からデータ読み出し期間への切り替わり時には、ＤＣ−ＤＣコンバータ１１２の出力電圧は、その急激な変動に追従できないためにＴ３０１のように大きく低下して再び上昇する所謂リンギング現象が発生する。この変動時間は負荷が容量性かインダクタ性かにより異なる。負荷が安定しているときは、ＤＣ−ＤＣコンバータ１１２の出力電圧に変動はない。しかし、Ｔ３０２において負荷がゼロまで変動すると、ＤＣ−ＤＣコンバータ１１２の出力電圧はその急激な変動に追従できないため大きく上昇して再び低下する所謂リンギング現象が発生する。このときは、水平ブランキング期間にあるため、撮影画像に対しては影響を与えない。
【００５７】
データ読み出し期間中に撮像素子の電源電圧が変動すると、光電変換する際の基準電圧が乱れる。これにより読み出し画像は電源電圧の変動を受け、光電変換時の画像データが変化してしまう。図１０の３０１に示すＤＣ−ＤＣコンバータ１１２の出力電圧変動が画像信号へ加算されて現れることとなり、実際の画像データと比較して輝度の低下した画像となって現れ、画像の表示画面の片隅が暗く落ち込むこととなる。
【００５８】
撮像回路１２２のクロックＣＬＫ３に対して、ＤＣ−ＤＣコンバータ１１２の電源クロックＣＬＫ１が非同期で駆動している場合、図１０のＴ３０１〜Ｔ３０４における電圧変動の時間が変化する。Ｔ３０１で画像信号の読み出しが始まると、負荷の急激な増加によってＤＣ−ＤＣコンバータ１１２の出力電圧が低下する。その後、ＤＣ−ＤＣコンバータ１１２の電源クロックＣＬＫ１がハイになる。するとＤＣ−ＤＣコンバータ１１２は出力電圧の変動を検知する。そしてＰＷＭコンパレータによってスイッチング周期を変更し、出力電圧に対してフィードバックが掛かる。ＤＣ−ＤＣコンバータ１１２の電源クロックＣＬＫ１が撮像回路１２２のクロックＣＬＫ３に対して非同期である場合、水平駆動パルスがハイになってから、電源クロックＣＬＫ１がハイになるまでの時間が、水平同期期間ごとに変化してしまう。そのため、ＤＣ−ＤＣコンバータ１１２の出力変動時間及び変動量が水平期間ごとに異なる。
【００５９】
一方で、ＤＣ−ＤＣコンバータ１１２の電源クロックＣＬＫ１を撮像回路１２２のクロックＣＬＫ３に同期させた場合、撮像回路１２２のクロックＣＬＫ３がハイになると同じタイミングでＤＣ−ＤＣコンバータ１１２の電源クロックＣＬＫ１もハイに遷移する。画像データの転送から、ＤＣ−ＤＣコンバータ１１２内の同期整流回路の切り換えまでに掛かる時間が一定になる。そのため、図７に示すように読み出し時の電源電圧における変動が常に一定量、一定時間に保たれることとなる。ＤＣ−ＤＣコンバータ１１２の出力電圧の変動量及び、変動時間が定まれば、画像信号をデジタル処理する際に、電源電圧の変動によるノイズ成分を除去する事が可能となる。
【００６０】
また特許文献２で開示されているように、負荷が変動する直前に擬似的な負荷に電流を流す事で急激な負荷変動を緩和し変動量を低減する。あるいは、図１０において画像情報部分に現れてしまうリンギング現象を水平ブランキング期間にシフトすることでノイズを回避した画像読み出しの動作を実現する事が可能となる。
【００６１】
図６に、本発明の実施形態に係る撮像装置の撮影時の動作シーケンスを示す。図６の動作シーケンスでは、静止画を撮影する静止画撮影モードが選択された状態で、デジタルカメラ１００を起動し撮影を行うまでの主だった動作を示す。さらに、その時にＤＣ−ＤＣコンバータ１１２のクロック切換回路１１４で選択されるクロックを示している。
【００６２】
デジタルカメラ１００の電源スイッチが押され、ＤＣ−ＤＣコンバータ１１２が駆動を開始すると、続いてシステム回路１２１が起動し、選択中の動作モードを検知する。システム回路１２１は、静止画撮影モードを選択していることを確認し、撮像回路１２２を起動させる制御信号をＤＣ−ＤＣコンバータ１１２へ送る。電子ファインダの使用を選択しているときは、表示回路１２３も起動する。ＤＣ−ＤＣコンバータ１１２は、システム回路１２１からの制御信号を受け、各動作回路１２１〜１２４へ電源を供給する。
【００６３】
撮像回路１２２と通信回路１２４が起動すると、クロック切換回路１１４へ撮像回路１２２のクロック発生回路１２６のクロックＣＬＫ３、通信回路１２４のクロック発生回路１２８のクロックＣＬＫ５が入力される。続いてシステム回路１２１は、検知した動作モードに対応したクロックをＣＰＵ内に保存した図４に示すテーブルから選択する。そして、クロック切換回路１１４へクロックの選択のためのシステム制御信号を送り、クロック切換回路１１４が第２スイッチ１１４２により、撮像回路１２２のクロックＣＬＫ３へ切り換える。
【００６４】
次に、撮影時の処理について述べる。撮像素子を駆動する信号は、図示しないタイミングジェネレータにより生成される。タイミングジェネレータは、撮像回路１２２のクロックＣＬＫ３とＣＰＵからの垂直同期信号ＶＤ、水平同期信号ＨＤ信号を受けて撮像素子の水平転送部を駆動する水平転送駆動パルスを撮像素子に出力する。撮像素子はレンズを通し撮像素子上に結像した被写体画像を光電変換する。光電変換された撮像素子の出力信号は、相関二重サンプリングによりリセットノイズ及び低域雑音の抑圧処理を行い、その後ＡＤ変換回路でデジタル信号に変換される。
【００６５】
デジタル信号となった画像信号は、ＣＰＵによりＲＡＭ上の任意の領域へ記録される。以上で画像信号の読み出しが終了する。画像信号の読み出し終了後、ＣＰＵは画像信号に現像処理を行い、任意の画像信号のフォーマットに従って再度ＲＡＭ上の別の記録領域に記録する。この画像信号は次にＣＰＵにより任意の順序で符号化部へ送られ、圧縮符号化処理を受けた後、ＲＡＭ上の任意の記録領域に記録される。ＣＰＵはこの符号化データに対して決められたヘッダーおよびフッターデータを付加し、あらかじめ決められた画像フォーマットに従った形式でＲＡＭ上に記録する。以上で露光及び撮影動作が終了する。
【００６６】
通常はＣＰＵの消費電力を抑えるため、システム回路１２１のクロックＣＬＫ２の周波数を下げて駆動を行っている。撮影動作内のＣＰＵによる画像処理時には、処理速度を上げるためにＣＰＵのクロック駆動周波数を高周波数へ変更する。この時、クロックの周波数の増加に伴いシステム回路１２１の消費電力が急増し、システム回路１２１の負荷変動がＤＣ−ＤＣコンバータ１１２の出力を変動させる。そこで、撮像素子からの画像信号の読み出しを終了後、ＤＣ−ＤＣコンバータ１１２のクロックとして、システム回路１２１のクロックＣＬＫ２が選択される。
【００６７】
システム回路１２１のクロックＣＬＫ２に同期する事で、システム回路１２１の負荷増加からＤＣ−ＤＣコンバータ１１２の出力変動に補正がかかるまでの時間が一定なる。また、ＤＣ−ＤＣコンバータ１１２の駆動周波数が高くなるため、出力電圧が安定するまでの制御時間が短くなり、ＤＣ−ＤＣコンバータ１１２の出力変動が、他の動作回路へ与える影響を最低限に抑える事が可能となる。
【００６８】
画像信号の形式変換及びＲＡＭ上への記録が終了すると、システム回路１２１は撮像回路１２２のクロックＣＬＫ３を選択するシステム制御信号をクロック切換回路１１４へ送る。その後、ＤＣ−ＤＣコンバータ１１２の電源クロックＣＬＫ１は、再び撮像回路１２２のクロックＣＬＫ３に同期して駆動される。
【００６９】
このように、動作モードに応じたクロックを選択し、ＤＣ−ＤＣコンバータ１１２を駆動する。このとき、同一の動作モードにおいても、動作シーケンスによってＤＣ−ＤＣコンバータ１１２の電源クロックＣＬＫ１を適宜選択し、切り換え可能な構成となっている。
【００７０】
ＤＣ−ＤＣコンバータ１１２の電源クロックＣＬＫ１と動作回路のクロックが同期すると、動作回路のクロックがハイになり負荷の変動が開始してから、次にＤＣ−ＤＣコンバータ１１２の電源クロックＣＬＫ１がハイになるまでの時間が常に一定に保たれる。このため、周期的に同じ負荷変動が繰り返される場合、図７に示すように、ＤＣ−ＤＣコンバータ１１２の出力電圧の変動が常に一定時間であり、一定範囲内の変動となる。
【００７１】
次にデジタルカメラ１００起動後に一定時間操作が行われない場合に、カメラ動作及び画像表示を停止する待機モードの動作について説明する。
【００７２】
デジタルカメラ１００に対して、一定時間内にいずれの操作が行われないと、システム回路１２１は待機モードを選択する。この時、システム回路１２１はクロック切換回路１１４にＤＣ−ＤＣコンバータ１１２の電源クロックＣＬＫ１を選択するシステム制御信号を送る。システム制御信号を受け取ったクロック切換回路１１４は、図２の第１スイッチ１１４１を切り換え、ＤＣ−ＤＣコンバータ１１２のクロック発生回路１１５からの電源クロックＣＬＫ１を選択する。
【００７３】
選択された電源クロックＣＬＫ１は、信号制御回路１１３で分周されて周波数を下げられたクロックを用いてＤＣ−ＤＣコンバータ１１２が駆動される。クロックの切り換えを確認すると、システム回路１２１のＣＰＵは、ＤＣ−ＤＣコンバータ１１２へ、撮像回路１２２、表示回路１２３、通信回路１２４への電源供給を停止する制御信号を送る。
【００７４】
制御信号を受けたＤＣ−ＤＣコンバータ１１２は、各動作回路に対する電源供給を停止し、待機モードになる。待機モードにおいては、各動作回路が動作を行わないため、消費電力が小さく、負荷変動も小さい。そこで、待機モードでは、ＤＣ−ＤＣコンバータ１１２の電源クロックＣＬＫ１を非同期駆動に選択する。クロックの周波数が高いときはＤＣ−ＤＣコンバータ１１２の自己消費電力も高くなる。クロックの周波数を下げる事で消費電力を低減し、変換効率の高い動作を実現する事が可能となる。
【００７５】
再び、デジタルカメラ１００にいずれかの操作がなされると、ＣＰＵはＤＣ−ＤＣコンバータ１１２へ本体部１２０の各動作回路への電源供給を開始する制御信号を送る。制御信号を受けたＤＣ−ＤＣコンバータ１１２は各動作回路へ電源供給を行い、起動した動作回路からのクロックＣＬＫ２〜ＣＬＫ５がクロック切換回路１１４へ入力される。
【００７６】
電源部１１０の電源クロックＣＬＫ１の周波数を低くし、消費電力を低減する省電力モードでは、ＤＣ−ＤＣコンバータ１１２の電源クロックＣＬＫ１を負荷である動作回路に対して非同期で駆動する。
【００７７】
ＤＣ−ＤＣコンバータ１１２の電源クロックＣＬＫ１の周波数は、エネルギー変換効率に大きく影響する。変換効率を高くするためのクロックの周波数の最適値は、入力電圧や出力側の消費電流等の条件により変化し、同じ電子機器であっても、動作モードの違いにより消費電流値が変化する。このため、ある動作モードにおいて最適なクロックの周波数が、他の動作モードにおいては最適でないという状況が発生し、効率の悪い電池の使い方となる。
【００７８】
ＤＣ−ＤＣコンバータ１１２を負荷の動作回路に対して非同期とされた電源クロックＣＬＫ１で駆動することにより、エネルギー変換効率を優先させた駆動が可能となる。
【００７９】
ここで、省電力モードにあっても、高精彩モード、高感度モードが選択された際は、ＤＣ−ＤＣコンバータ１１２の電源クロックＣＬＫ１を撮像回路１２２のクロックＣＬＫ３に対して同期させる。
【００８０】
高感度モードにおいてＩＳＯ感度を上げると、読み出し後のデータを増幅するゲインを大きくするため、ノイズも増幅される事となる。この時、通常の撮影時には撮像画像に表れなかったノイズが撮影した画像に現れる事となる。また、高精細モードでは、画素数が高く撮像素子の各画素あたりの光電蓄積量が低いために、一画素あたりのＳＮ比が低下する。
【００８１】
そのため高感度モード及び高精細モードが選択されている場合は、省電力モードが設定されている場合でも、光電変換を行う直前に第１スイッチ１１４１を切り換え、第２スイッチ１１４２で撮像回路１２２のクロックＣＬＫ３を選択する。撮像素子の出力信号は光電変換され、相関二重サンプリングにより、リセットノイズ及び低域雑音の抑圧処理が施される。その後、ＡＤ変換回路でデジタル信号に変換されると、クロック切換回路１１４は、再びＤＣ−ＤＣコンバータ１１２の電源クロックＣＬＫ１を選択する。
【００８２】
ＤＣ−ＤＣコンバータ１１２の電源クロックＣＬＫ１を撮像回路１２２のクロックＣＬＫ３と同期させる事で、画像の読み出し期間に対する電源ノイズの干渉期間を一意に定める事が可能となる。これにより、電源ノイズを回避し、より精度の高い画像情報を得る事ができる。
【００８３】
動画像を撮影する動画撮影モードでは、ＤＣ−ＤＣコンバータ１１２の電源クロックＣＬＫ１を撮像回路１２２のクロックＣＬＫ３に同期させる。動画撮影時には音声の録音も同時に行う。この時、ＤＣ−ＤＣコンバータ１１２のクロックの周波数が低いとＤＣ−ＤＣコンバータ１１２のスイッチング発振音が動画記録時の音声に録音されてしまう。そのため、撮像回路１２２のクロックＣＬＫ３が可聴領域以下の周波数にある場合、クロック切換回路１１４は第１スイッチ１１４１を切り換えて非同期駆動とする。すなわち、電源クロックＣＬＫ１を選択して、クロックの周波数を可聴領域より高い周波数に保つ。これにより、動画撮影中のＤＣ−ＤＣコンバータ１１２のスイッチングに起因したノイズを抑えることが可能となる。
【００８４】
撮影した画像及び動画を再生して表示する再生モードでは、ＤＣ−ＤＣコンバータ１１２の電源クロックＣＬＫ１として表示回路１２３のクロックＣＬＫ４を選択する。再生モードでは、メモリーに記憶した画像情報を表示回路１２３の表示装置に表示させる。表示装置の制御回路を駆動するクロックＣＬＫ４を用いる事で、表示画像に対する電源電圧の変動を一定に保つ事が可能となる。これにより、ノイズの抑制や除去が容易になる。
【００８５】
ビデオ信号の様にアナログ信号を外部出力する際には、ＤＣ−ＤＣコンバータ１１２の電源クロックＣＬＫ１の周波数を、外部接続される表示装置に応じた周波数に変更する。例えば、ＮＴＳＣ方式のコンポジット信号の出力を選択した場合、システム回路１２１で画像情報をビデオ信号へと変換する。外部出力を行う際には、生成したビデオ信号を出力バッファでフィルタリング、増幅した信号を外部の表示装置へと出力する。ビデオ信号を増幅する際、供給する電源が変動するとその負荷変動がビデオ信号へノイズとして乗る事となる。ここで、出力するビデオ信号の水平同期期間にＤＣ−ＤＣコンバータ１１２のクロックすなわち、スイッチング周期を重ねる事で、図示しないビデオ信号の画像処理回路から電源の負荷変動を回避させることが可能となる。これにより、電源ノイズの影響のない映像を出力する事ができる。
【００８６】
撮影モードにおいても、表示回路１２３を電子ファインダとして利用する事がある。この時、表示回路１２３にスルー表示させる画像に電源の変動に起因するノイズが現れることがある。このような場合には、必ずしも撮影モードにおいて撮像回路１２２のクロックＣＬＫ３を選択する必要は無い。撮影モードを選択した状態でも、表示回路１２３を電子ファインダとして利用する際には、表示回路１２３のクロックＣＬＫ４をクロック切換回路１１４で選択し、ＤＣ−ＤＣコンバータ１１２を駆動する。これにより、表示回路１２３に表示される画像に乗る電源ノイズの影響を低減する事が可能となる。また、先に説明したように、静止画や動画像を記録する際には、撮影を行う直前にＤＣ−ＤＣコンバータ１１２の電源クロックＣＬＫ１として撮像回路１２２のクロックＣＬＫ３を選択する。
【００８７】
撮影画像データの転送を行う通信モードでは、ＤＣ−ＤＣコンバータ１１２の電源クロックＣＬＫ１を、画像情報を転送する通信回路１２４のクロックＣＬＫ５に同期させる。撮影画像の外部への出力時には、受信装置に応じたクロックで撮影情報を転送する必要がある。
【００８８】
赤外線、無線ＬＡＮ、ブルートュース等のワイヤレス通信を行う際には、ＤＣ−ＤＣコンバータ１１２の電源クロックＣＬＫ１を負荷の動作回路に対して非同期で駆動してもよい。無線通信時の負荷の変動が大きくなるため、ＤＣ−ＤＣコンバータ１１２の電源クロックＣＬＫ１の周波数を高くすることで、消費電流が増加した際の出力電圧の負荷変動を軽減する事ができる。
【００８９】
また、動画撮影や電子ビューファインダに表示されるスルー表示画像をリアルタイムに転送、表示させる場合には、撮像回路１２２のクロックＣＬＫ３を選択する。撮像回路１２２のクロックＣＬＫ３を選択する事で、ＤＣ−ＤＣコンバータ１１２の出力変動を一定に保つ事が可能となり、撮影画像に乗るノイズを回避し、抑制する事が容易になる。
【００９０】
上記で説明した実施形態において、電源クロックＣＬＫ１の周波数を選択する際にＤＣ−ＤＣコンバータ１１２の回路構成上の動作限界周波数を上回ってしまう場合がある。この場合には、ＤＣ−ＤＣコンバータ１１２の動作限界周波数以下まで、選択したクロックを信号制御回路１１３で分周する。そしてその信号で作られた電源駆動クロックでＤＣ−ＤＣコンバータ１１２を駆動すればよい。また、クロック切換回路１１４へ供給されるクロックは、各動作回路のクロック発生回路１２５〜１２８によって生成された周波数によるクロックに限られない。すなわち、各動作回路を駆動するためにパルスジェネレータ等によって分周された駆動パルス信号からつくられたクロックであってもよい。
【００９１】
また、クロック切換回路１１４へ供給される各動作回路のクロックは、デジタルカメラ１００の起動後から終了時まで、常にクロックを供給しつづける必要は無い。任意に選択したデジタルカメラ１００の動作モードにおいて、該動作モード内で使用するクロックのみを供給するだけでもよい。また、クロック切換回路１１４でクロックを選択する直前に、ＣＰＵからの制御信号を受けた後に該当する動作回路から供給されても良い。
【００９２】
クロック切換回路１１４へ供給されるクロックの数を減らす事で、回路内の不要輻射ノイズを低減する事が可能となる。
【００９３】
以上説明したように本発明では、デジタルカメラ１００を駆動する動作モードに応じて、電源部１１０の電源クロックＣＬＫ１を選択できる構成にしている。特に動作モードの切り換えに応じてＤＣ−ＤＣコンバータ１１２のクロックを各動作回路のクロックに対して同期させることを選択できる構成とする。
【００９４】
消費電力を抑えることを目的とした省電力モードや待機モードでは、消費電力と変圧時の変換効率を優先させる。そのため、ＤＣ−ＤＣコンバータ１１２を動作回路に対して非同期駆動することにより、設計時に定めた任意の周波数によるクロックでの駆動を選択し、変換効率の高い動作を実現することが出来る。
【００９５】
また、電源電圧の変動に弱い動作や、高い精度を求められる動作回路の駆動を行う際には、対象となる動作回路のクロックを選択してＤＣ−ＤＣコンバータ１１２の電源クロックＣＬＫ１を同期させる。これにより、対象となる動作回路の変動に伴う該ＤＣ−ＤＣコンバータ１１２の出力変動時間及び変動量を一定に保つことが可能となり、負荷に対する出力変動の抑制や回避を容易にすることが出来る。
【００９６】
上記の説明では、電源クロックＣＬＫ１でＤＣ−ＤＣコンバータ１１２を駆動する説明となっているが、ＤＣ−ＤＣコンバータ１１２は必ずしも電源クロックＣＬＫ１である必要はない。すなわち、ＤＣ−ＤＣコンバータ１１２は電源クロックＣＬＫ１あるいは、先に説明したように、電源クロックを分周して周波数の下げられたクロックを含む電源駆動クロックで駆動することが可能である。
【００９７】
また、本発明は、前述した実施形態の機能を実現するソフトウェアのプログラムコードを記録した記憶媒体を、システムあるいは装置に供給することによっても実施可能である。すなわち本発明の目的は、そのシステムあるいは装置のコンピュータ（またはＣＰＵやＭＰＵ）が記憶媒体に格納されたプログラムコードを読出し実行することによっても達成される。この場合、記憶媒体から読出されたプログラムコード自体が前述した実施形態の機能を実現することになり、そのプログラムコードを記憶した記憶媒体は本発明を構成することになる。プログラムコードを供給するための記憶媒体としては、例えばフレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００９８】
また、コンピュータが読出したプログラムコードを実行することで、前述した実施形態の機能が実現されるだけでなく、そのプログラムコードの指示に基づき、コンピュータ上で稼働しているＯＳなどが実際の処理の一部または全部を行いこともありうる。それにより、本発明は、その処理によって前述した実施形態の機能が実現される場合も含まれる。
【００９９】
さらに本発明においては、記憶媒体から読出されたプログラムコードが、コンピュータに挿入された機能拡張ボードやコンピュータに接続された機能拡張ユニットに備わるメモリに書込まれて実施することも可能である。したがって、書込まれプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【０１００】
【図１】本発明の実施形態に係る撮像装置の全体の構成を模式化して表した図である。
【図２】本発明の実施形態に係る撮像装置におけるクロック切換回路の具体的な回路図である。
【図３】本発明の実施形態に係る撮像装置の基本的な動作を説明するためのフローチャート図である。
【図４】本発明の実施形態に係る撮像装置に適用可能な、動作モードと選択するクロックの対応関係を示す図である。
【図５】本発明の実施形態に係る撮像装置に含まれるＤＣ−ＤＣコンバータの出力電圧の変動を説明する図である。
【図６】本発明の実施形態に係る撮像装置の撮影時の動作シーケンスを示す図である。
【図７】本発明の実施形態に係る撮像装置に含まれるＤＣ−ＤＣコンバータの出力電圧の改善された変動を説明する図である。
【図８】従来の撮像装置の構成を模式化して表した図である。
【図９】一般的なＤＣ−ＤＣコンバータの回路構成を示す図である。
【図１０】従来の撮像装置に係るＤＣ−ＤＣコンバータの出力変動を説明する図である。
【図１１】従来の撮像装置に係るＤＣ−ＤＣコンバータの出力変動を説明する他の図である。
【符号の説明】
【０１０１】
１００  デジタルカメラ
１１０  電源部
１１１  電池
１１２  ＤＣ−ＤＣコンバータ
１１３  信号制御回路
１１４  クロック切換回路
１１４１  第１スイッチ
１１４２  第２スイッチ
１１５  クロック発生回路
１２０  本体部
１２１  システム回路
１２２  撮像回路
１２３  表示回路
１２４  通信回路
１２５〜１２８  クロック発生回路
【図１】
2008219292.tif 000003
【図２】
2008219292.tif 000004
【図３】
2008219292.tif 000005
【図４】
2008219292.tif 000006
【図５】
2008219292.tif 000007
【図６】
2008219292.tif 000008
【図７】
2008219292.tif 000009
【図８】
2008219292.tif 000010
【図９】
2008219292.tif 000011
【図１０】
2008219292.tif 000012
【図１１】
2008219292.tif 000013